(57)【要約】【課題】  広告に掲載するための適切な商品画像を選定することができる利便性の高い商品画像選定装置等を提供することを目的とする。【解決手段】  広告印刷物に掲載されるべき掲載商品画像を選定する商品画像選定装置において、前記広告印刷物に掲載する商品の商品識別情報の入力を受け付ける入力受付手段と、前記商品の少なくとも１以上の商品画像データを前記商品識別情報に対応付けて記憶する商品画像データ記憶手段と、前記入力された商品識別情報に対応する前記少なくとも１以上の商品画像データのうち、広告印刷物に掲載されるべき商品画像データを優先商品画像データとして選定する優先商品画像データ選定手段とを有し、前記選定された優先商品画像データに基づく商品画像を前記掲載商品画像とすることを特徴とする。【選択図】  図１
2005293279.tif 000002
【特許請求の範囲】
【請求項１】
広告印刷物に掲載されるべき掲載商品画像を選定する商品画像選定装置であって、
前記広告印刷物に掲載する商品の商品識別情報の入力を受け付ける入力受付手段と、
前記商品の少なくとも１以上の商品画像データを前記商品識別情報に対応付けて記憶する商品画像データ記憶手段と、
前記入力された商品識別情報に対応する前記少なくとも１以上の商品画像データのうち、広告印刷物に掲載されるべき商品画像データを優先商品画像データとして選定する優先商品画像データ選定手段と、
を有し、
前記選定された優先商品画像データに基づく商品画像を前記掲載商品画像とすることを特徴とする商品画像選定装置。
【請求項２】
請求項１に記載の商品画像選定装置において、
前記優先商品画像データは、前記少なくとも１以上の商品画像データのうち、一番最近使用された商品画像データであることを特徴とする商品画像選定装置。
【請求項３】
請求項１に記載の商品画像選定装置において、
前記優先商品画像データは、前記少なくとも１以上の商品画像データのうち、一番使用頻度の高い商品画像データであることを特徴とする商品画像選定装置。
【請求項４】
請求項１乃至請求項３のいずれか一項に記載の商品画像選定装置において、
前記選定された優先商品画像データに基づく商品画像の変更を受け付ける商品画像変更受付手段と、
前記商品画像の変更を受け付けると、前記入力された商品識別情報に対応する全ての前記商品画像データを表示する表示手段と、
前記表示された商品画像データのうち、一の商品画像データの選択を受け付ける商品画像データ選択受付手段と、を有し、
前記優先商品画像データ選定手段は、前記選択された商品画像データを、前記優先商品画像データとして選定することを特徴とする商品画像選定装置。
【請求項５】
請求項１乃至請求項４のいずれか一項に記載の商品画像選定装置において、
前記商品識別情報は、ＪＡＮ（Japanese Article Number）コードであることを特徴とする商品画像選定装置。
【請求項６】
広告印刷物に掲載されるべき掲載商品画像を選定する商品画像選定装置に搭載されるコンピュータを、
前記広告印刷物に掲載する商品の商品識別情報の入力を受け付ける入力受付手段、
前記商品の少なくとも１以上の商品画像データを前記商品識別情報に対応付けて記憶する商品画像データ記憶手段、
前記入力された商品識別情報に対応する前記少なくとも１以上の商品画像データのうち、広告印刷物に掲載されるべき商品画像データを優先商品画像データとして選定する優先商品画像データ選定手段、
として機能させると共に、
前記選定された優先商品画像データに基づく商品画像を前記掲載商品画像とするよう機能させることを特徴とする商品画像選定プログラム。
【請求項７】
請求項６に記載の商品画像選定プログラムにおいて、
前記優先商品画像データは、前記少なくとも１以上の商品画像データのうち、一番最近使用された商品画像データであることを特徴とする商品画像選定プログラム。
【請求項８】
広告印刷物に掲載されるべき掲載商品画像を選定する商品画像選定方法であって、
前記広告印刷物に掲載する商品の少なくとも１以上の商品画像データを前記商品識別情報に対応付けて記憶する商品画像データ記憶工程と、
前記商品識別情報の入力を受け付ける入力受付工程と、
前記入力された商品識別情報に対応する前記少なくとも１以上の商品画像データのうち、広告印刷物に掲載されるべき商品画像データを優先商品画像データとして選定する優先商品画像データ選定広告印刷物に掲載する商品と、
を有し、
前記選定された優先商品画像データに基づく商品画像を前記掲載商品画像とすることを特徴とする商品画像選定方法。
【請求項９】
請求項８に記載の商品画像選定方法において、
前記優先商品画像データは、前記少なくとも１以上の商品画像データのうち、一番最近使用された商品画像データであることを特徴とする商品画像選定方法。
【発明の詳細な説明】
【技術分野】
【０００１】
本発明は、商品に関する情報を掲載した広告印刷物に掲載すべき商品画像の選定を行なう商品画像選定装置及び商品画像選定方法及び商品画像選定プログラムに関する。
【背景技術】
【０００２】
従来、チラシなどの広告印刷物を作成する広告印刷物作成システムにおいて、広告印刷物に掲載する商品に画像を付して掲載する際に、ユーザが画像データ名などで商品画像を検索し、掲載すべき商品画像を選択していた。
【０００３】
また、特許文献１には、チラシ作成システムの一例が開示されている。
【特許文献１】特開２００３−２６３４２６号公報
【発明の開示】
【発明が解決しようとする課題】
【０００４】
しかし、例えば一の商品に対して、異なる角度から撮影された商品画像が複数存在する場合には、ユーザは、その中から広告印刷物を作成する度ごとに、毎回掲載する商品画像を選択しなければならず、手間がかかっていた。
【０００５】
そこで、本発明は上記課題に鑑みてなされたものであり、より適切な商品画像を選定することができる利便性の高い商品画像選定装置等を提供することを目的とする。
【課題を解決するための手段】
【０００６】
上記課題を解決するための本発明の一つの観点では、広告印刷物に掲載されるべき掲載商品画像を選定する商品画像選定装置であって、前記広告印刷物に掲載する商品の商品識別情報の入力を受け付ける入力受付手段と、前記商品の少なくとも１以上の商品画像データを前記商品識別情報に対応付けて記憶する商品画像データ記憶手段と、前記入力された商品識別情報に対応する前記少なくとも１以上の商品画像データのうち、広告印刷物に掲載されるべき商品画像データを優先商品画像データとして選定する優先商品画像データ選定手段とを有し、前記選定された優先商品画像データに基づく商品画像を前記掲載商品画像とすることを特徴とする。
【０００７】
これによれば、広告印刷物に掲載する商品画像を選定する際、広告印刷物に掲載する商品画像が多数登録されている場合であっても、掲載すべき優先商品画像データを選定し、これに基づく商品画像を掲載商品画像として選定することにより、より簡便かつ効率的に商品画像を選定することが可能になる。
【０００８】
上記課題を解決するための本発明の他の観点では、上記商品画像選定装置において、前記優先商品画像データは、前記少なくとも１以上の商品画像データのうち、一番最近使用された商品画像データであることを特徴とする。
【０００９】
これによれば、広告印刷物に掲載する商品画像を選定する際、広告印刷物に掲載する商品画像が多数登録されている場合であっても、一番最近使用された商品画像データを掲載すべき優先商品画像データとして選定し、これに基づく商品画像を掲載商品画像として選定することにより、より簡便かつ効率的に商品画像を選定することが可能になる。
【００１０】
上記課題を解決するための本発明の他の観点では、上記商品画像選定装置において、前記優先商品画像データは、前記少なくとも１以上の商品画像データのうち、一番使用頻度の高い商品画像データであることを特徴とする商品画像選定装置。
【００１１】
これによれば、広告印刷物に掲載する商品画像を選定する際、広告印刷物に掲載する商品画像が多数登録されている場合であっても、一番使用頻度の高い商品画像データを掲載すべき優先商品画像データとして選定し、これに基づく商品画像を掲載商品画像として選定することにより、より簡便かつ効率的に商品画像を選定することが可能になる。
【００１２】
上記課題を解決するための本発明の他の観点では、上記商品画像選定装置において、前記選定された優先商品画像データに基づく商品画像の変更を受け付ける商品画像変更受付手段と、前記商品画像の変更を受け付けると、前記入力された商品識別情報に対応する全ての前記商品画像データを表示する表示手段と、前記表示された商品画像データのうち、一の商品画像データの選択を受け付ける商品画像データ選択受付手段とを有し、前記優先商品画像データ選定手段は、前記選択された商品画像データを、前記優先商品画像データとして選定することを特徴とする。
【００１３】
これによれば、全ての商品画像データの中から商品画像データを優先商品画像データとして選択することにより、ユーザが掲載商品画像を自由に選択することが可能になる。
【００１４】
上記課題を解決するための本発明の他の観点では、上記商品画像選定装置において、前記商品識別情報は、ＪＡＮ（Japanese Article Number）コードであることを特徴とする。
【００１５】
これによれば、ＪＡＮコードをキーとして商品画像データを関連付けて記憶することにより、広告印刷物に掲載する商品画像が多数登録されている場合であっても、ＪＡＮコードをキーとして掲載すべき優先商品画像データを選定し、これに基づく商品画像を掲載商品画像として選定することが可能になる。
【００１６】
上記課題を解決するための本発明の一つの観点では、広告印刷物に掲載されるべき掲載商品画像を選定する商品画像選定装置に搭載されるコンピュータを、前記広告印刷物に掲載する商品の商品識別情報の入力を受け付ける入力受付手段、前記商品の少なくとも１以上の商品画像データを前記商品識別情報に対応付けて記憶する商品画像データ記憶手段、前記入力された商品識別情報に対応する前記少なくとも１以上の商品画像データのうち、広告印刷物に掲載されるべき商品画像データを優先商品画像データとして選定する優先商品画像データ選定手段、として機能させると共に、前記選定された優先商品画像データに基づく商品画像を前記掲載商品画像とするよう機能させることを特徴とする。
【００１７】
これによれば、広告印刷物に掲載する商品画像を選定する際、広告印刷物に掲載する商品画像が多数登録されている場合であっても、掲載すべき優先商品画像データを選定し、これに基づく商品画像を掲載商品画像として選定することにより、より簡便かつ効率的に商品画像を選定することが可能になる。
【００１８】
上記課題を解決するための本発明の一つの観点では、広告印刷物に掲載されるべき掲載商品画像を選定する商品画像選定方法であって、前記広告印刷物に掲載する商品の少なくとも１以上の商品画像データを前記商品識別情報に対応付けて記憶する商品画像データ記憶工程と、前記商品識別情報の入力を受け付ける入力受付工程と、前記入力された商品識別情報に対応する前記少なくとも１以上の商品画像データのうち、広告印刷物に掲載されるべき商品画像データを優先商品画像データとして選定する優先商品画像データ選定広告印刷物に掲載する商品とを有し、前記選定された優先商品画像データに基づく商品画像を前記掲載商品画像とすることを特徴とする。
【００１９】
これによれば、広告印刷物に掲載する商品画像を選定する際、広告印刷物に掲載する商品画像が多数登録されている場合であっても、掲載すべき優先商品画像データを選定し、これに基づく商品画像を掲載商品画像として選定することにより、より簡便かつ効率的に商品画像を選定することが可能になる。
【発明の効果】
【００２０】
本発明によれば、広告印刷物に掲載する商品画像を選定する際、広告印刷物に掲載する商品画像が多数登録されている場合であっても、掲載すべき優先商品画像データを選定し、これに基づく商品画像を掲載商品画像として選定することにより、より簡便かつ効率的に商品画像を選定することが可能になる。
【発明を実施するための最良の形態】
【００２１】
以下、本発明の好適な実施の形態を添付図面に基づいて説明する。なお、本実施の形態は、本発明に係る商品画像選定装置を広告印刷物作成装置に適用したものである。
【００２２】
まず、図１乃至図５を参照して本実施形態にかかる広告印刷物作成装置の構成及び機能を説明する。
【００２３】
図１は、本実施形態にかかる広告印刷物作成装置の概要構成例を示すブロック図である。
【００２４】
図１に示すように、広告印刷物作成装置１は、記憶部１１、操作部１２、抽出部１３、広告印刷物データ作成部１４、表示部１５および制御部１６を含んで構成されており、各構成要素は互いにバス１７によって接続されている。
【００２５】
記憶部１１は、商品画像データ記憶手段として機能し、商品画像データベース１１Ａと使用履歴データベース１１Ｂと掲載商品情報データベース１１Ｃを含んで構成される。
【００２６】
商品画像データベース１１Ａには、図２に示す如く、商品の画像である商品画像データが夫々の商品毎に記憶（登録）されている。ここで、商品とは、各店舗にて扱われる全ての商品であってもよく、或いは、チラシに掲載される可能性のある全ての商品であってもよい。
【００２７】
そして、このような商品の商品画像データは、各商品について、店舗の販促部等によって販促計画が立てられた際などに、当該販促部の担当者によって登録されるよう構成する。
【００２８】
そして、商品画像データは、商品毎に一の商品識別情報としてのＪＡＮ（Japanese Airticle Number）コードと対応付けられている。例えば、図２に示す例によれば、ＪＡＮコード「Ｊ１」には、商品画像データとして、「ＩＭＧｊ１ａ」、「ＩＭＧｊ１ｂ」、「ＩＭＧｊ１ｃ」及び「ＩＭＧｊ１ｄ」が対応付けられて記憶されており、ＪＡＮコード「Ｊ２」には、商品画像データとして、「ＩＭＧｊ２ａ」、「ＩＭＧｊ２ｂ」、「ＩＭＧｊ２ｃ」及び「ＩＭＧｊ２ｄ」が対応付けられて記憶されており、ＪＡＮコード「Ｊ３」には、商品画像データとして、「ＩＭＧｊ３ａ」、「ＩＭＧｊ３ｂ」、「ＩＭＧｊ３ｃ」及び「ＩＭＧｊ３ｄ」が対応付けられて記憶されている。そして、ＪＡＮコードＪ４乃至Ｊ７にもそれぞれ商品画像データが対応付けて記憶されている。
【００２９】
そして後に詳述する商品画像選定処理において、広告印刷物を作成する際にユーザによって商品画像の変更が選択されると、入力されたＪＡＮコードＪｎに対応する商品画像データのうち、ユーザによって選択された一の商品画像データが抽出部１３によって抽出されることになる。
【００３０】
この使用履歴データベース１１Ｂには、図３に示す如く、夫々の商品について、一番最近使用された商品画像データが優先商品画像データＪＡＮコードと対応付けて保存（記憶）されている。後に詳述する商品画像選定処理において、広告印刷物を作成する際にユーザによって一のＪＡＮコードＪｎが入力されると、当該使用履歴データベース１１Ｂに記憶されている優先商品画像データから、入力されたＪＡＮコードＪｎに対応する優先商品画像データが抽出部１３によって抽出されることになる。
【００３１】
図３に示す例によれば、ＪＡＮコードＪ１で示される商品の優先商品画像データはＩＭＧｊ１ａであり、ＪＡＮコードＪ２で示される商品の優先商品画像データは、ＩＭＧｊ２ｃである。そして、ＪＡＮコードＪ３乃至Ｊ７にかかる商品についても、それぞれ同様に優先商品画像データが対応付けて記憶されている。
【００３２】
また、後に詳述する商品画像選定処理において、商品画像の変更がされると、選択された商品画像データが、当該使用履歴データベース１１Ｂに優先商品画像データとして保存されることになる。
【００３３】
掲載商品情報データベース１１Ｃには、図４に示す如く、広告印刷物に掲載される商品に関する情報としての掲載商品情報ＧがＪＡＮコードと対応付けて保存（記憶）されている。この掲載商品情報Ｇには、広告印刷物上に配置される文字、イラスト、ロゴ、マーク等の情報が含まれ、例えば、商品名、メーカー名、商品仕様（サイズ、重量、材質、色等）や規格、商品価格（メーカー希望価格、通常価格、売価）、割引率、商品のキャッチコピー、商品の購買促進情報等が含まれる。これら掲載商品情報Ｇは、店舗の商品管理者等によって入力／登録処理があらかじめ行なわれている。
【００３４】
後に詳述する商品画像選定処理において、広告印刷物を作成する際にユーザによって一のＪＡＮコードＪｎが入力されると、当該掲載商品情報データベース１１Ｃに記憶されている掲載商品情報Ｇから、入力されたＪＡＮコードＪｎに対応する掲載商品情報Ｇｎが抽出部１３によって抽出されることになる。
【００３５】
次に、操作部１２は、制御部１６と共に入力受付手段として機能し、例えばマウスやキーボード等によって構成され、上記ユーザがＪＡＮコードを入力するためのものである。この操作部１２にてＪＡＮコードの入力が行われると、抽出部１３が、入力されたＪＡＮコードに対応する優先商品画像データを上記使用履歴データベース１１Ｂから抽出し、掲載商品情報Ｇを上記掲載商品情報データベース１１Ｃから抽出する。
【００３６】
また、制御部１６と共に商品画像変更受付手段及び商品画像データ選択受付手段として機能し、抽出部１３によって抽出された優先商品画像データに基づく商品画像を使用して、広告印刷物データ作成部１４によって作成された広告印刷物データを、表示部１５に表示して当該商品画像を確認したユーザが、当該商品画像を広告印刷物に掲載することを所望しない場合に、操作部１２を操作して商品画像変更を選択することにより、上記商品画像データベース１１Ａに記憶されている他の商品画像データを優先商品画像データとして変更することにより、商品画像を変更する。
【００３７】
抽出部１３は、制御部１６と共に優先商品画像データ選定手段として機能し、操作部１２によって入力されたＪＡＮコードに対応する優先商品画像データを上記使用履歴データベース１１Ｂから抽出（選定）し、掲載商品情報Ｇを上記掲載商品情報データベース１１Ｃから抽出（選定）する。そして、抽出した優先商品画像データ及び掲載商品情報Ｇを、広告印刷物データ作成部１４に送信する。
【００３８】
また、後に詳述する商品画像選定処理において、ユーザが操作部１２を操作することによって商品画像の変更が選択されると、上記商品画像データベース１１Ａに記憶されている商品画像データから、ユーザが操作部１２を操作することによって一の商品画像データが選択されて、選択された商品画像データを抽出して使用履歴データベース１１Ｂに更新（変更）する。
【００３９】
広告印刷物データ作成部１４は、上記抽出部１３にて抽出された優先商品画像データ及び掲載商品情報Ｇを関連付けて広告印刷物データを作成し、表示部１５に表示させる。そして、作成された広告印刷物データは、通常、ＤＴＰ（Desk Top Publishing）システムにて広告印刷物の版面の所定位置に割り付けられ、印刷機にて印刷されることになる。
【００４０】
表示部１５は、表示手段として機能し、広告印刷物データ作成部１４にて作成した広告印刷物データを表示する。図５は、表示部１５における広告印刷物データの表示例である。
【００４１】
図５に示す如く、ＪＡＮコードが操作部１２によって入力されると、入力信号に応じて、作成途中の広告印刷物データを表示させる。また、スクロールバー１５ａを操作部１２のマウスなどで操作することにより、広告印刷物データをスクロール表示させることが可能に構成されている。
【００４２】
また、広告印刷物に掲載される商品毎に画像変更ボタン１５ｂが設けられており、使用履歴データベース１１Ｂから選定された優先商品画像データに基づいて表示部１５に表示された商品画像を確認したユーザが、当該商品画像を、広告印刷物に掲載することを所望しない場合に、画操作部１２を操作して画像変更ボタン１５ｂを選択（クリック）することにより、選択された画像変更ボタン１５ｂにかかる商品について、ＪＡＮコードをキーとして商品画像データベース１１Ａに保存されている全ての商品画像データが表示されるよう構成されている。
【００４３】
表示例等の表示動作については、後述する商品画像選定処理の説明において説明する。
【００４４】
制御部１６は、演算機能を有するＣＰＵ（Central Processing Unit）、各種プログラム（商品画像選定プログラムを含む）及びデータを記憶するＲＯＭ（Read Only Memory）、及び作業用メモリとしてのＲＡＭ（Random Access memory）等を含んで構成されており、広告印刷物作成装置１における構成要素全体を制御し、また、広告印刷物作成装置１を構成する各種構成部に対して所定の指示信号を送受信するためのものである。
【００４５】
具体的には、操作部１２と共に、入力受付手段として機能し操作部１２にてＪＡＮコードの入力が行われると、入力されたＪＡＮコードに対応する優先商品画像データを上記使用履歴データベース１１Ｂから抽出し、掲載商品情報Ｇを上記掲載商品情報データベース１１Ｃから抽出する。
【００４６】
また、操作部１２と共に、商品画像変更受付手段及び商品画像データ選択受付手段として機能し、ユーザが操作部１２を操作して商品画像変更を選択することにより、上記商品画像データベース１１Ａに記憶されている他の商品画像データを優先商品画像データとして変更することにより、商品画像を変更する。
【００４７】
さらに、抽出部１３と共に、優先商品画像データ選定手段として機能し、入力されたＪＡＮコードに対応する優先商品画像データを上記使用履歴データベース１１Ｂから抽出（選定）し、掲載商品情報Ｇを上記掲載商品情報データベース１１Ｃから抽出（選定）する。
【００４８】
次に、商品画像選定処理について説明する。
【００４９】
図６は、広告印刷物作成装置１の制御部１６における商品画像選定処理を示すフローチャートである。なお、図６の処理は、制御部１６にて商品画像選定プログラムが実行されることにより行なわれる。
【００５０】
まず、ユーザが、操作部１２を操作することにより広告に掲載したい商品のＪＡＮコードを入力する（ステップＳ１）。
【００５１】
次に、抽出部１３は入力されたＪＡＮコードに対応する優先商品画像データを上記使用履歴データベース１１Ｂから抽出して選定する（ステップＳ２）。そして、抽出部１３は入力されたＪＡＮコードに対応する掲載商品情報Ｇを上記掲載商品情報データベース１１Ｃから抽出して選定する（ステップＳ３）。
【００５２】
図３及び図４に示す例によれば、ＪＡＮコード「Ｊ５」が入力されると、使用履歴データベース１１Ｂから対応する優先商品画像データとして、「ＩＭＧｊ５ｃ」が選定され、掲載商品情報データベース１１Ｃから対応する掲載商品情報として、掲載商品情報Ｇ５が選定されることになる。
【００５３】
また、ＪＡＮコード「Ｊ７」が入力されると、使用履歴データベース１１Ｂから対応する優先商品画像データとして、「ＩＭＧｊ７ｂ」が選定され、掲載商品情報データベース１１Ｃから対応する掲載商品情報として、掲載商品情報Ｇ７が選定されることになる。
【００５４】
次に、ステップＳ２にて選定した優先商品画像データと、ステップＳ３にて選定した掲載商品情報とを関連付けて広告印刷物データ作成部１４によって作成した広告印刷物データを表示部１５に表示する（ステップＳ４）。
【００５５】
そして、操作部１２による操作に基づいて、商品画像の変更受付がされたか否かを判定する（ステップＳ５）。より具体的には、ユーザが表示部１５に表示された優先商品画像データにかかる商品画像を確認し、当該商品画像を、広告印刷物に掲載することを所望しない場合に、操作部１２を操作して画像変更ボタン１５ｂを選択（クリック）することにより、商品画像の変更が受け付けられる。
【００５６】
そして、商品画像の変更受付がされたと判定されなかった場合には（ステップＳ５：Ｎｏ）、商品画像選定処理を終了し、他方、商品画像の変更受付がされたと判定された場合には、（ステップＳ５：Ｙｅｓ）、表示部１５は、商品画像変更画面を表示する（ステップＳ６）。
【００５７】
図７に商品画像変更画面の表示例を示す。図７は、ステップＳ５において、ＪＡＮコードＪ４にかかる商品の商品画像の変更を受け付けた場合の表示例である。
【００５８】
制御部１６の制御に基づいて、商品画像データベース１１Ａに記憶された、ＪＡＮコードＪ４に対応づけられる全ての商品画像データに基づいて、商品画像が表示される。すなわち、商品画像データベース１１Ａに記憶されたＪＡＮコードＪ４に対応付けられる全ての商品画像データＩＭＧｊ４ａ、ＩＭＧｊ４ｂ、ＩＭＧｊ４ｃ及びＩＭＧｊ４ｄに基づく商品画像が表示される（図２参照。）。
【００５９】
このとき、図に示す如く、被抽出経験のある商品画像データ（つまり、過去に使用したことがある商品画像）と、被抽出経験のない商品画像データ（つまり、過去に使用したことがない商品画像）とを分けて表示するよう構成する。なお、被抽出経験の有無は、商品画像データに付随する情報として各商品画像データに記憶させてもよく、或いは商品画像データ毎の被抽出経験の有無や過去に抽出された日付をデータベースに対応付けて記憶させるよう構成してもよい。
【００６０】
また、現在表示している商品画像を、現在の掲載商品画像として表示する。つまり商品画像選定処理中、最初の商品画像変更であれば、現在の掲載商品画像は、優先商品画像データに基づく画像が表示されることになる。また、ユーザの便宜のため、ＪＡＮコード及び掲載商品情報Ｇもあわせて表示することが望ましい。
【００６１】
また、商品画像データベース１１Ａに記憶された、ＪＡＮコードＪ４に対応づけられる全ての商品画像データに掲載したい商品画像が無い場合には、他の画像を検索するための検索ボタン１５ｃを選択（クリック）することにより、広告印刷物作成装置１内にインストールされた画像検索アプリケーション等をスタートさせて、図示しない他のデータベース等を検索するよう構成することが望ましい。
【００６２】
そして、ユーザが操作部１２を操作して表示された商品画像中、一の商品画像を選択（クリック）することにより、掲載する商品画像が変更登録される（ステップＳ７）。より具体的には、選択された商品画像の商品画像データが、上記使用履歴データベース１１Ｂの優先商品画像データとして更新（変更）される。
【００６３】
すなわち、商品画像データＩＭＧｊ４ｄに基づく商品画像が選択されると、優先商品画像データをＩＭＧｊ４ａからＩＭＧｊ４ｄに変更すると共に、当該変更後の優先商品画像データとしてのＩＭＧｊ４ｄを抽出部１３が抽出して選定する（ステップＳ８）。
【００６４】
そして、表示部１５は、ステップＳ８にて選定した優先商品画像データに基づいて広告印刷物データ作成部１４が作成した広告印刷物データを表示部１５に表示する（ステップＳ９）。
【００６５】
図８に商品画像が変更された広告印刷物データの表示例を示す。図８は、ステップＳ５において、ＪＡＮコードＪ４にかかる商品の商品画像の変更が受け付けられ、ステップＳ６において商品画像データＩＭＧｊ４ｄに基づく商品画像が選択された場合の、変更後の広告印刷物データである。
【００６６】
そして、更に商品画像の変更を受け付けがされたか否かをステップＳ５と同様に判定する（ステップＳ１０）。そして、商品画像の変更受付がされたと判定された場合には（ステップＳ１０：Ｙｅｓ）、ステップＳ６に移行してステップＳ６乃至ステップＳ９の処理を繰り返し行ない、他方、商品画像の変更受付がされたと判定されなかった場合には、（ステップＳ１０：Ｎｏ）、商品画像選定処理を終了する。
【００６７】
以上説明したように作成された広告印刷物データは、所定のＤＴＰシステムにて広告印刷物の版面の所定位置に割り付けられ、広告印刷物作成装置１に備えられた図示しない印刷機にて印刷されることによって、広告印刷物を作成することができる。一方、広告印刷物作成装置１に情報の授受が可能に接続された印刷会社のコンピュータ等に、作成された広告印刷物データを送信し、当該印刷会社にて印刷されることによって、広告印刷物を作成するよう構成してもよい。
【００６８】
なお、上述した広告印刷物データ作成処理におけるステップＳ５及びステップＳ１０の判定処理において、所定時間以上商品画像の変更受付がされなかった場合には、変更受付が無しと判定するよう構成してもよく、その他の手法として、表示部１５中に決定ボタンを設け、当該決定ボタンを操作部１２の操作によりユーザが選択（クリック）したときには、変更受付が無しと判定するよう構成してもよい。
【００６９】
また、ステップＳ１にてユーザが広告印刷物に掲載する全ての商品のＪＡＮコードを入力したあとに、入力された夫々のＪＡＮコードに対応する優先商品画像データ及び掲載商品情報を選定して（ステップＳ２及びステップＳ３）、表示部１５に表示させる（ステップＳ４）よう構成したが、ＪＡＮコードが１つ入力されると、その都度、対応する優先商品画像データ及び掲載商品情報を選定して、表示部１５に表示させるよう構成してもよい。
【００７０】
また、上述した実施の形態において、一番最近使用された商品画像データを優先商品画像データとして登録しているが、これに限らず、例えば、最も使用頻度の高い商品画像データを優先商品画像データとして登録してもよい。この場合には、商品画像データに付随する情報として、被抽出回数を各商品画像データに記憶させる。そして、上記広告印刷物掲載処理におけるステップＳ７において、一の商品画像データが選択されると、当該選択された商品画像データの被抽出回数に１を加えるよう構成すればよい。
【００７１】
また、使用履歴データベース１１Ｂには、夫々の商品について、一番最近使用された商品画像データが優先商品画像データＪＡＮコードと対応付けて保存（記憶）して一番最近使用された商品画像データを登録しているが、これに限らず、使用された日付のデータや使用された広告の種類情報と共に記憶しても良い。
【００７２】
さらに、上述した実施の形態において、一端優先商品画像データベース１１Ｂに登録されている優先商品画像データに基づく商品画像を表示させた後に、ユーザが商品画像変更を選択したもののみ、商品画像変更を行なっているが、これに限らず、ＪＡＮコードが入力される毎に、商品画像データベース１１Ａに記憶された当該ＪＡＮコードと対応付けられる全ての商品を表示部１５に表示させて、ユーザが商品画像の選択を行なうよう構成してもよい。
【００７３】
上述した実施形態によれば、広告印刷物に掲載する商品画像を選定する際、広告印刷物に掲載する商品画像が多数登録されている場合であっても、一番最近使用された商品画像データを優先商品画像データとして選定し、これに基づく商品画像を掲載商品画像として選定することにより、より簡便かつ効率的に商品画像を選定することが可能になる。
【００７４】
また、広告印刷物に使用した商品画像データを一番最近使用した商品画像データである優先商品画像データとして使用履歴データベース１１Ｂに更新（変更）することにより、次回以降の商品画像選定の際に利用することができる。
【００７５】
また、ＪＡＮコードをキーとして商品画像データ及び優先商品画像データの抽出／選定を行なうため、多数の商品を扱う店舗であっても、ＪＡＮコードに対応する商品画像データ及び優先商品画像データを的確に抽出／選定することができる。
【００７６】
また、全ての商品画像データを表示させて、ユーザに一の商品画像データを選択させるよう構成したため、ユーザが掲載商品画像を自由に選択することが可能になる。
【００７７】
また、一の商品に対して一のＪＡＮコードが対応付けられる例について説明したが、複数の商品が一の商品グループとして登録されている場合にも応用することができる。
【００７８】
図９（Ａ）は商品グループ用の商品画像データベースの説明図であり、図９（Ｂ）は商品グループ用の使用履歴データベースの説明図であり、図９（Ｃ）は商品グループ用の掲載商品情報データベースの説明図である。また、図１０は、表示部１５における広告印刷物データの表示例である。
【００７９】
ＪＡＮコードがそれぞれ「Ｊ２」、「Ｊ４」、「Ｊ６」である商品を構成商品として有する一の商品グループ（ＪＡＮコードＪ２４６）の商品画像データＩＭＧｊ２４６ａ、ＩＭＧｊ２４６ｂ及びＩＭＧｊ２４６ｃを、ＪＡＮコード「Ｊ２」、「Ｊ４」、「Ｊ６」及び「Ｊ２４６」に対応付けて商品グループ用の商品画像データベースに記憶する（図９（Ａ））よう構成する。
【００８０】
また、商品画像データＩＭＧｊ２４６ａを優先商品画像データとして商品グループ用の使用履歴データベースにＪＡＮコード「Ｊ２」、「Ｊ４」、「Ｊ６」及び「Ｊ２４６」に対応付けて記憶する（図９（Ｂ））よう構成する。また、上記商品グループの掲載商品情報をＪＡＮコードと対応づけて商品グループ用の掲載商品情報データベースに記憶する（図９（Ｃ））よう構成する。
【００８１】
そうすると、ユーザが、選択部１２によって図１０に示す商品グループの欄に、上記ＪＡＮコード「Ｊ２」、「Ｊ４」、「Ｊ６」及び「Ｊ２４６」のうち、何れのＪＡＮコードを入力した場合であっても、商品グループ用の使用履歴データベース（図９（Ｂ））から商品画像データＩＭＧｊ２４６ａが優先商品画像データとして抽出されることになる。
【００８２】
また、商品画像の変更動作がされた場合には、商品グループ用の商品画像データベース（図９（Ａ））から商品画像データＩＭＧｊ２４６ａ、ＩＭＧｊ２４６ｂ及びＩＭＧｊ２４６ｃが表示部１５に表示され、この中から変更する商品画像データを選択するよう構成されることになる。
【００８３】
このように構成することにより、複数の商品を構成商品とする商品グループの画像であっても、ＪＡＮコードをキーとしてこれに基づく商品画像を掲載商品画像として選定することにより、より簡便かつ効率的に商品画像を選定することが可能になる。
【００８４】
さらに、上述した実施の形態における商品画像データベース１１Ａ、使用履歴データベース１１Ｂ、掲載商品情報データベース１１Ｃを利用して複数の商品を構成商品とする商品グループの画像を作成してもよい。
【００８５】
図１１に示す如く、ユーザが、選択部１２によって図１１に示す商品グループの欄に、ＪＡＮコード「Ｊ４」と「Ｊ６」とを入力すると、使用履歴データベース１１ＢからＪＡＮコード「Ｊ４」と「Ｊ６」に対応する優先商品画像データＩＭＪｊ４ａとＩＭＪｊ６ｄが上述した手法の如く抽出されることになる。そして、抽出した２つの優先商品画像データを並べて表示させたり、或いは図示しない画像合成部等によって合成処理した後の画像を表示部１５に表示させるよう構成すればよい。
【図面の簡単な説明】
【００８６】
【図１】広告印刷物作成装置の概要構成例を示すブロック図である。
【図２】商品画像データベース１１Ａの説明図である。
【図３】使用履歴データベース１１Ｂの説明図である。
【図４】掲載商品情報データベース１１Ｃの説明図である。
【図５】表示部１５における広告印刷物データの表示例である。
【図６】制御部１６における商品画像選定処理を示すフローチャートである。
【図７】商品画像変更画面の表示例である。
【図８】画像変更後の表示部１５における広告印刷物データの表示例である。
【図９（Ａ）】商品グループ用の商品画像データベースの説明図である。
【図９（Ｂ）】商品グループ用の使用履歴データベースの説明図である。
【図９（Ｃ）】商品グループ用の掲載商品情報データベースの説明図である。
【図１０】表示部１５における広告印刷物データの表示例である。
【図１１】表示部１５における広告印刷物データの表示例である。
【符号の説明】
【００８７】
１…広告印刷物作成装置
１１…記憶部
１１Ａ…商品画像データベース
１１Ｂ…使用履歴データベース
１１Ｃ…掲載商品情報データベース
１２…操作部
１３…抽出部
１４…広告印刷物データ作成部
１５…表示部
１５ａ…スクロールバー
１５ｂ…画像変更ボタン
１５ｃ…検索ボタン
１６…制御部
１７…バス
Ｊ…ＪＡＮコード
Ｇ…掲載商品情報
ＩＭＧ…商品画像データ
【図１】
2005293279.tif 000003
【図２】
2005293279.tif 000004
【図３】
2005293279.tif 000005
【図４】
2005293279.tif 000006
【図５】
2005293279.tif 000007
【図６】
2005293279.tif 000008
【図７】
2005293279.tif 000009
【図８】
2005293279.tif 000010
【図９（Ａ）】
2005293279.tif 000011
【図９（Ｂ）】
2005293279.tif 000012
【図９（Ｃ）】
2005293279.tif 000013
【図１０】
2005293279.tif 000014
【図１１】
2005293279.tif 000015